(57)【要約】  改善された耐久性を有する太陽電池モジュールを提供する。  第３の配線材３２ａは、第１の部分３２ａ１と、第２の部分３２ａ２と、第３の部分３２ａ３とを含む。第１の部分３２ａ１では、金属箔５２が太陽電池２０側を向いている。第１の部分３２ａ１は、太陽電池２０に電気的に接続されている。第２の部分３２ａ２は、金属箔５２が太陽電池２０とは反対側を向くように太陽電池２０の上に配されている。第３の部分３２ａ３は、第１の部分３２ａ１と第２の部分３２ａ２とを接続している。第１の配線材３２ｂは、隣り合う太陽電池ストリング１０の第２の部分３２ａ２同士を電気的に接続している。太陽電池モジュール１は、絶縁性シート６０をさらに備える。絶縁性シート６０は、第１の配線材３２ｂと太陽電池２０との間に配されている。
2013046801.tif 000002
【特許請求の範囲】
【請求項１】
一の方向に沿って配された複数の太陽電池ストリングと、
隣り合う前記太陽電池ストリング同士を電気的に接続しており、金属箔からなる第１の配線材と、
を備え、
前記太陽電池ストリングは、
一の方向に対して傾斜した他の方向に沿って配された複数の太陽電池と、
隣り合う前記太陽電池のそれぞれの端部に接着されており、前記隣り合う太陽電池同士を電気的に接続している第２の配線材と、
前記複数の太陽電池のうち、前記他の方向における最も端部に位置する太陽電池の他の方向における端部において当該太陽電池に電気的に接続されており、樹脂フィルム及び前記樹脂フィルムの上に配された金属箔を有する第３の配線材と、
を有し、
第３の配線材は、
前記金属箔が前記太陽電池側を向いており、前記太陽電池に電気的に接続された第１の部分と、
前記金属箔が前記太陽電池とは反対側を向くように前記太陽電池の上に配された第２の部分と、
前記第１の部分と前記第２の部分とを接続している第３の部分と、
を含み、
前記第１の配線材は、前記隣り合う太陽電池ストリングの第２の部分同士を電気的に接続しており、
前記第１の配線材と前記太陽電池との間に配された絶縁性シートをさらに備える、太陽電池モジュール。
【請求項２】
前記第１の配線材が、前記他の方向において、前記第２の部分と重なるように配されている、請求項１に記載の太陽電池モジュール。
【請求項３】
前記太陽電池ストリング及び第１〜第３の配線材を封止している封止材と、
前記第３の部分に電気的に接続されており、前記封止材の外部にまで引き出された引き出し電極と、
をさらに備え、
前記引き出し電極と前記太陽電池との間に配された絶縁性シートを備える、請求項１または２に記載の太陽電池モジュール。
【請求項４】
前記複数の太陽電池ストリングは、第２の部分の前記他の方向に沿った長さが異なる太陽電池ストリングを含み、
前記相対的に長い第２の部分の前記相対的に短い第２の部分よりも前記太陽電池モジュールの中央寄りに位置する部分に前記引き出し電極が接続されており、当該引き出し電極は、前記相対的に長い第２の部分から前記一の方向に沿って延びる部分を有する、請求項３に記載の太陽電池モジュール。
【発明の詳細な説明】
【技術分野】
【０００１】
本発明は太陽電池モジュールに関する。
【背景技術】
【０００２】
従来、改善された光電変換効率を有する太陽電池モジュールとして、裏面接合型の太陽電池を有する太陽電池モジュールが知られている。例えば特許文献１には、その一例が記載されている。特許文献１に記載の太陽電池モジュールは、表面に配線が設けられた配線基板を複数備えている。配線基板上には、一の方向に沿って配列された複数の裏面接合型の太陽電池が配置されている。複数の太陽電池は、配線基板の配線に電気的に接続されている。複数の配線基板は、一の方向に対して垂直な他の方向に沿って配されている。他の方向において隣り合う配線基板同士は、導電性部材によって電気的に接続されている。
【先行技術文献】
【特許文献】
【０００３】
【特許文献１】特開２００９−４３８４２号公報
【発明の概要】
【発明が解決しようとする課題】
【０００４】
近年、太陽電池モジュールの耐久性をさらに改善したいという要望が高まってきている。【０００５】
本発明は、改善された耐久性を有する太陽電池モジュールを提供することを主な目的とする。
【課題を解決するための手段】
【０００６】
本発明に係る太陽電池モジュールは、複数の太陽電池ストリングと、第１の配線材とを備える。複数の太陽電池ストリングは、一の方向に沿って配されている。第１の配線材は、隣り合う太陽電池ストリング同士を電気的に接続している。第１の配線材は、金属箔からなる。太陽電池ストリングは、複数の太陽電池と、第２の配線材と、第３の配線材とを有する。複数の太陽電池は、一の方向に対して傾斜した他の方向に沿って配されている。第２の配線材は、隣り合う太陽電池のそれぞれの端部に接着されている。第２の配線材は、隣り合う太陽電池同士を電気的に接続している。第３の配線材は、複数の太陽電池のうち、他の方向における最も端部に位置する太陽電池の他の方向における端部において当該太陽電池にに電気的に接続されている。第３の配線材は、樹脂フィルム及び樹脂フィルムの上に配された金属箔を有する。第３の配線材は、第１の部分と、第２の部分と、第３の部分とを含む。第１の部分では、金属箔が太陽電池側を向いている。第１の部分は、太陽電池に電気的に接続されている。第２の部分は、金属箔が太陽電池とは反対側を向くように太陽電池の上に配されている。第３の部分は、第１の部分と第２の部分とを接続している。第１の配線材は、隣り合う太陽電池ストリングの第２の部分同士を電気的に接続している。本発明に係る太陽電池モジュールは、絶縁性シートをさらに備える。絶縁性シートは、第１の配線材と太陽電池との間に配されている。
【発明の効果】
【０００７】
本発明によれば、改善された耐久性を有する太陽電池モジュールを提供することができる。
【図面の簡単な説明】
【０００８】
【図１】図１は、本発明の一実施形態に係る太陽電池モジュールの略図的裏面図である。
【図２】図２は、図１の線ＩＩ−ＩＩ部分の略図的断面図である。
【図３】図３は、本発明の一実施形態における太陽電池の略図的裏面図である。
【図４】図４は、図２のＩＶ部分の太陽電池ストリングの略図的断面図である。
【図５】図５は、図２のＶ部分の太陽電池ストリングの略図的断面図である。
【図６】図６は、変形例に係る太陽電池モジュールの略図的裏面図である。
【発明を実施するための形態】
【０００９】
以下、本発明を実施した好ましい形態の一例について説明する。但し、下記の実施形態は、単なる例示である。本発明は、下記の実施形態に何ら限定されない。
【００１０】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１１】
図１及び図２に示されるように、太陽電池モジュール１は、それぞれ複数の太陽電池２０を有する複数の太陽電池ストリング１０を備えている。具体的には、太陽電池モジュール１は、第１〜第６の太陽電池ストリング１０ａ〜１０ｆを備えている。図２に示されるように、複数の太陽電池ストリング１０は、第１の保護部材１１と、第２の保護部材１２との間に配されている。第１の保護部材１１は、太陽電池２０の受光面２０ａ側に位置している。第２の保護部材１２は、太陽電池２０の裏面２０ｂ側に位置している。第２の保護部材１２は、可撓性を有する。第１の保護部材１１と第２の保護部材１２との間には封止材層１３が設けられている。この封止材層１３により複数の太陽電池２０が封止されている。
【００１２】
第１の保護部材１１は、例えば、ガラス基板、樹脂基板等の透光性を有する部材により構成することができる。第２の保護部材１２は、例えば、樹脂シート、金属箔を介在させた樹脂シート等の可撓性を有する部材により構成することができる。封止材層１３は、例えば、エチレン・酢酸ビニル共重合体（ＥＶＡ）、ポリビニルブチラール（ＰＶＢ）、ポリエチレン（ＰＥ）、ポリウレタン（ＰＵ）などの樹脂により構成することができる。封止材層１３は、非架橋性樹脂を含むことが好ましい。
【００１３】
複数の太陽電池ストリング１０のそれぞれは、太陽電池ストリング１０の配列方向であるｙ軸方向に対して傾斜した（典型的には、垂直な）ｘ軸方向に沿って配された複数の太陽電池２０を有する。図１及び図３に示されるように、太陽電池２０は、光電変換部２３と、第１及び第２の電極２１，２２とを有する。
【００１４】
光電変換部２３は、第１及び第２の主面２３ａ、２３ｂを有する。光電変換部２３の第１の主面２３ａが太陽電池２０の受光面２０ａを構成しており、第２の主面２３ｂが太陽電池２０の裏面２０ｂを構成している。
【００１５】
光電変換部２３は、受光した際に正孔や電子などのキャリアを生成させる部材である。光電変換部２３は、第１の主面２３ａにおいて受光したときのみキャリアを生成させるものであってもよいし、第１の主面２３ａにおいて受光したときのみならず、第２の主面２３ｂにおいて受光したときにもキャリアを発生させるものであってもよい。即ち、太陽電池２０は、両面受光型の太陽電池であってもよい。
【００１６】
なお、光電変換部２３の種類は特に限定されない。光電変換部２３は、例えば、結晶シリコン基板等を用いて構成することができる。
【００１７】
光電変換部２３の第２の主面２３ｂの上には、正孔及び電子の一方を収集する第１の電極２１と、正孔及び電子の他方を収集する第２の電極２２とが配されている。従って、太陽電池２０は、裏面接合型の太陽電池である。
【００１８】
第１及び第２の電極２１，２２のそれぞれの形状は特に限定されない。本実施形態では、第１及び第２の電極２１，２２のそれぞれは、くし歯状の形状を有する。第１の電極２１と第２の電極２２とは、互いに間挿し合うように配されている。具体的には、第１及び第２の電極２１，２２のそれぞれは、複数のフィンガー部２１ａ、２２ａと、バスバー部２１ｂ、２２ｂとを有する。複数のフィンガー部２１ａ、２２ａのそれぞれは、ｘ軸方向に沿って延びている。複数のフィンガー部２１ａ、２２ａは、ｘ軸方向に対して垂直なｙ軸方向に沿って相互に間隔をおいて配されている。
【００１９】
複数のフィンガー部２１ａは、バスバー部２１ｂに電気的に接続されている。バスバー部２１ｂは、複数のフィンガー部２１ａのｘ軸方向における一方側（ｘ１側）に配されている。バスバー部２１ｂは、太陽電池２０のｘ軸方向におけるｘ１側端部において、ｙ軸方向の一方側端部から他方側端部にわたって設けられている。
【００２０】
同様に、複数のフィンガー部２２ａは、バスバー部２２ｂに電気的に接続されている。バスバー部２２ｂは、複数のフィンガー部２２ａのｘ軸方向における他方側（ｘ２側）に配されている。バスバー部２２ｂは、太陽電池２０のｘ軸方向におけるｘ２側端部において、ｙ軸方向の一方側端部から他方側端部にわたって設けられている。
【００２１】
図１に示されるように、複数の太陽電池ストリング１０のそれぞれにおいて、ｘ軸方向において隣り合う太陽電池２０は、配線材３１によって電気的に接続されている。具体的には、ｘ軸方向において隣接する太陽電池２０の一方の太陽電池２０の第１の電極２１と他方の太陽電池の第２の電極２２とが配線材３１によって電気的に接続されている。
【００２２】
配線材３１は、例えば、金属箔、金属箔の積層体、表面が半田等で覆われた金属箔、絶縁性フィルム及び絶縁性フィルム上に配された配線とを有するフレキシブルプリント基板（ＦＰＣ：Ｆｌｅｘｉｂｌｅ  Ｐｒｉｎｔｅｄ  Ｃｉｒｃｕｉｔ）などにより構成することができる。金属箔および配線は、例えば、Ａｇ、Ｃｕ等により構成することができる。
【００２３】
配線材３１と太陽電池２０の裏面２０ｂとは、図示しない接着層によって接着されている。接着層は、例えば、樹脂接着剤の硬化物、導電材が分散混入している樹脂接着剤の硬化物、半田等により構成することができる。配線材３１は、太陽電池２０のｘ軸方向における端部に接着されている。具体的には、配線材３１は、太陽電池２０のｘ軸方向における端部にのみ接着されている。
【００２４】
第１〜第６の太陽電池ストリング１０ａ〜１０ｆは、配線材３２により電気的に接続されている。具体的には、第１の太陽電池ストリング１０ａの最もｘ２側に位置している太陽電池２０Ａと第２の太陽電池ストリング１０ｂの最もｘ２側に位置している太陽電池２０Ｂと、第３の太陽電池ストリング１０ｃの最もｘ２側に位置している太陽電池２０Ｃと第４の太陽電池ストリング１０ｄの最もｘ２側に位置している太陽電池２０Ｄと、及び第５の太陽電池ストリング１０ｅの最もｘ２側に位置している太陽電池２０Ｅと第６の太陽電池ストリング１０ｆの最もｘ２側に位置している太陽電池２０Ｆとは、それぞれ、配線材３２によって電気的に接続されている。配線材３２は、太陽電池２０Ａ，２０Ｃ，２０Ｅの第１の電極２１と、太陽電池２０Ｂ，２０Ｄ，２０Ｆの第２の電極２２とを電気的に接続している。
【００２５】
また、第２の太陽電池ストリング１０ｂの最もｘ１側に位置している太陽電池２０Ｈと第３の太陽電池ストリング１０ｃの最もｘ１側に位置している太陽電池２０Ｉと、及び第４の太陽電池ストリング１０ｄの最もｘ１側に位置している太陽電池２０Ｊと第５の太陽電池ストリング１０ｅの最もｘ１側に位置している太陽電池２０Ｋとも、それぞれ、配線材３２によって電気的に接続されている。配線材３２は、太陽電池２０Ｈ，２０Ｊの第１の電極２１と、太陽電池２０Ｉ，２０Ｋの第２の電極２２とを電気的に接続している。
【００２６】
太陽電池２０Ｈ，２０Ｉに電気的に接続された配線材３２と、太陽電池２０Ｊ，２０Ｋに電気的に接続された配線材３２とのそれぞれの一部は、第１の引き出し電極４１を構成している。図２に示されるように、第１の引き出し電極４１は、封止材層１３の外側、より具体的には、太陽電池モジュール１の外部に引き出されている。具体的には、第１の引き出し電極４１の先端部は、第２の保護部材１２の外側に至っている。
【００２７】
配線材３２は、２つの配線材３２ａと、配線材３２ｂとを有する。２つの配線材３２ａのそれぞれは、接着層４０により太陽電池２０に接着されており、第１または第２の電極２１，２２に電気的に接続されている。配線材３２ｂは、２つの配線材３２ａを電気的に接続している。配線材３２ａは、太陽電池２０のｘ軸方向における一の端部の、ｘ軸方向に対して垂直なｙ軸方向のｙ１側端部からｙ２側端部に至るように配されている。配線材３２ａは、太陽電池ストリング１０を構成している複数の太陽電池２０のうち、ｘ軸方向における最も端部に位置する太陽電池に電気的に接続されている。
【００２８】
図４に示されるように、配線材３２ａは、樹脂フィルム５１と、配線５２とを有するフレキシブルプリント基板により構成されている。樹脂フィルム５１は、例えば、ポリイミド（ＰＩ）や、ポリエチレンテレフタレート（ＰＥＴ）などの樹脂により構成することができる。配線５２は、樹脂フィルム５１の上に配されている。配線５２は、第１または第２の電極２１，２２と電気的に接続されている。配線５２は、例えば、ＣｕやＡｇなどの少なくとも一種の金属からなる金属箔により構成することができる。
【００２９】
配線材３２ａは、第１の部分３２ａ１と、第２の部分３２ａ２と、屈曲部３２ａ３とを有する。第１の部分３２ａ１は、配線材３２ａの一方側部分により構成されている。第１の部分３２ａ１は、配線５２が太陽電池２０側を向くように配されている。第１の部分３２ａ１は、太陽電池２０の裏面２０ｂに接着されている。
【００３０】
第２の部分３２ａ２は、配線材３２ａの他方側部分により構成されている。第２の部分３２ａ２は、配線５２が太陽電池２０とは反対側を向くように配されている。第２の部分３２ａ２の少なくとも一部は、第１の部分３２ａ１の上に配されている。即ち、第２の部分３２ａ２の少なくとも一部は、第１の部分３２ａ１と太陽電池２０の厚み方向であるｚ軸方向において重なっている。
【００３１】
屈曲部３２ａ３は、第１の部分３２ａ１と第２の部分３２ａ２とを接続している。屈曲部３２ａ３は、屈曲構造を有する。屈曲部３２ａ３では、配線５２が外側を向いている。屈曲部３２ａ３は、太陽電池２０の裏面２０ｂの上に配されている。即ち、屈曲部３２ａ３は、太陽電池２０とｚ軸方向において重なっている。屈曲部３２ａ３は、平板状の配線材が折り曲げられることにより形成された部分である。
【００３２】
配線材３２ｂは、第２の部分３２ａ２において配線材３２ａの配線５２に電気的に接続されている。すなわち、配線材３２ｂは、ｙ軸方向において隣り合う太陽電池ストリング１０の第２の部分３２ａ２同士を電気的に接続している。配線材３２ｂは、ｘ軸方向において、第２の部分３２ａ２と重なるように配されている。配線材３２ｂは、樹脂接着剤を用いて配線材３２ａに接着されていてもよいが、本実施形態では半田により配線材３２ａに接着されると共に配線材３２ａの配線５２に電気的に接続されている。配線材３２ｂは、配線材３２ａのｙ軸方向における一部分に接着されている。配線材３２ａのｙ軸方向における長さに対する、配線材３２ａの配線材３２ｂが接着された部分のｙ軸方向における長さの比（（配線材３２ａの配線材３２ｂが接着された部分のｙ軸方向における長さ）／（配線材３２ａのｙ軸方向における長さ））は、１／１０〜１であることが好ましく、１／１０〜１／２であることがより好ましい。
【００３３】
なお、配線材３２ｂの一部は、引き出し電極４１を構成しており、太陽電池モジュール１外に引き出されている。
【００３４】
本実施形態において、配線材３２ｂは、ＣｕやＡｇなどの少なくとも一種の金属からなる金属箔により構成されている。配線材３２ｂの厚みは、配線５２の厚みよりも大きい。配線材３２ｂの厚みは、配線５２の厚みの２倍以上であることが好ましく、５倍以上であることがより好ましい。
【００３５】
第１の太陽電池ストリング１０ａの最もｘ１側に位置している太陽電池２０Ｇの第２の電極２２と、第６の太陽電池ストリング１０ｆの最もｘ１側に位置している太陽電池２０Ｌの第１の電極２１とのそれぞれには、配線材３３が電気的に接続されている。太陽電池２０Ｇ，２０Ｌと配線材３３とは接着層４０により接着されている。
【００３６】
配線材３３は、配線材３２ａと、配線材３３ｂとを有する。配線材３３の一部を構成している配線材３２ａは、配線材３２の一部を構成している配線材３２ａと実質的に同様の構成を有する。配線材３３の一部を構成している配線材３２ａは、太陽電池２０Ｇの第２の電極２２及び太陽電池２０Ｌの第１の電極２１に接着され、電気的に接続されている。
【００３７】
配線材３３ｂは、配線材３３の一部を構成している配線材３２ａに電気的に接続されている。配線材３３ｂの一部は、引き出し電極４２を構成している。引き出し電極４２は、封止材層１３の外側、より具体的には、太陽電池モジュール１外に引き出されている。
【００３８】
配線材３３ｂは、配線材３３の一部を構成している配線材３２ａの第２の部分３２ａ２において配線５２に電気的に接続されている。配線材３３ｂは、樹脂接着剤を用いて配線材３２ａに接着されていてもよいが、本実施形態では半田により配線材３２ａに接着されると共に配線材３２ａの配線５２に電気的に接続されている。配線材３３ｂは、配線材３２ａのｙ軸方向における一部分に接着されている。
【００３９】
本実施形態において、配線材３３ｂは、ＣｕやＡｇなどの少なくとも一種の金属からなる金属箔により構成されている。配線材３３ｂの厚みは、配線５２の厚みよりも大きい。配線材３３ｂの厚みは、配線５２の厚みの２倍以上であることが好ましく、５倍以上であることがより好ましい。
【００４０】
金属箔により構成されている配線材３２ｂ、３３ｂ、引き出し電極４１，４２と、太陽電池２０の裏面２０ｂとの間には、絶縁性シート６０が配されている。これにより、配線材３２ｂ、３３ｂ、引き出し電極４１，４２と電極２１，２２との短絡を抑制することができる。なお、絶縁性シート６０は、例えば、樹脂フィルム５１として用いられるＰＩや、ＰＥＴなどの樹脂の他、封止材層１３として用いられるＥＶＡ、ＰＶＢ、ＰＥ、ＰＵなどの樹脂などにより構成することができる。配線材３２ｂ、３３ｂと太陽電池２０との間に配された絶縁性シートと、引き出し電極４１，４２と太陽電池２０との間に配された絶縁性シートとを別体に設けてもよい。
【００４１】
ところで、配線基板の熱膨張係数は、太陽電池の熱膨張係数とは異なる。このため、特許文献１に記載の太陽電池モジュールのように、裏面接合型の太陽電池の全面が配線基板に接着されている場合は、配線基板と太陽電池とが剥離しやすい。
【００４２】
一方、太陽電池モジュール１では、配線材３１は、太陽電池２０のｘ軸方向における端部に接着されており、太陽電池２０の全面に接着されていない。このため、太陽電池モジュール１の温度が変化した場合であっても、配線材３１と太陽電池２０との間に大きな応力が加わり難い。よって、配線材３１と太陽電池２０とが剥離しにくい。
【００４３】
同様に、配線材３２ａが太陽電池２０のｘ軸方向における端部において、当該太陽電池２０に電気的に接続されている。そして、ｙ軸方向において隣り合う太陽電池ストリング１０の配線材３２ａの第２の部分３２ａ２同士が、金属箔からなる配線材３２ｂによって電気的に接続されている。配線材３２ｂと太陽電池２０との間には、絶縁性シート６０が配されている。この絶縁性シート６０によって配線材３２ｂと太陽電池２０とが絶縁されている。このような構成を採用することによって、太陽電池モジュール１の温度が変化した場合であっても、配線材３２ｂと太陽電池２０との間に大きな応力が加わり難い。よって、配線材３２ｂと太陽電池２０とが剥離しにくい。従って、改善された耐久性を有する太陽電池モジュール１を実現することができる。
【００４４】
ところで、２つの配線材３２ａを配線材３２ｂで接続する構成とした場合、配線材３２ｂの一部が太陽電池２０の第１の電極２１または第２の電極２２と接触する可能性がある。接触による電流リークを防止するために、配線材３２ｂと太陽電池２０との間にのみ絶縁性シートを設けることが考えられる。しかし、この部分にのみ絶縁性シートを設けた場合、配線材３２ａが設けられる領域と、配線材３２ｂが設けられる領域とで段差が生じ、配線材３２ａに接続された配線材３２ｂが外れてしまう虞がある。このような状況は、例えば、複数の太陽電池２０を封止材層１３の中に封止する工程において発生する可能性がある。
【００４５】
本実施形態では、配線材３２ｂが設けられた領域のみならず、配線材３２ａが設けられた領域にも、絶縁シート６０を設けられている。このため、配線材３２ｂと太陽電池２０との絶縁性を保ちつつ、配線材３２ａと配線材３２ｂとの接続信頼性を高めることができる。
【００４６】
また、上記のような構成を採用することにより、絶縁性シート６０を小さくし得る。特に、太陽電池モジュール１では、配線材３２ｂがｘ軸方向において第２の部分３２ａ２と重なるように設けられている。このため、第２の部分３２ａ２及び配線材３２ｂが設けられた領域のｘ軸方向における長さを短くすることができる。このため、絶縁性シート６０をより小さくし得る。従って、高価な絶縁性シート６０を小さくし得る分、太陽電池モジュール１の製造コストを低減することができる。
【００４７】
なお、太陽電池モジュール１では、ｙ軸方向における外側に位置している太陽電池ストリング１０ａ、１０ｆにおける第２の部分３２ａ２のｘ軸方向に沿った長さと、ｙ軸方向における中央側に位置している太陽電池ストリング１０ｂ〜１０ｅにおける第２の部分３２ａ２のｘ軸方向に沿った長さとが同じである。一方、図６に示されるように、太陽電池モジュール２では、複数の太陽電池ストリング１０が、第２の部分３２ａ２のｘ軸方向に沿った長さが異なる太陽電池ストリング１０を含む。具体的には、ｙ軸方向における外側に位置している太陽電池ストリング１０ａ、１０ｆにおける第２の部分３２ａ２のｘ軸方向に沿った長さが、ｙ軸方向における中央側に位置している太陽電池ストリング１０ｂ〜１０ｅにおける第２の部分３２ａ２のｘ軸方向に沿った長さよりも長い。太陽電池ストリング１０ｂ〜１０ｅの相対的に長い第２の部分３２ａ２には、太陽電池ストリング１０ａ、１０ｆの相対的に短い第２の部分３２ａ２よりも太陽電池モジュール２の中央寄りに位置する部分において、引き出し電極４２が電気的に接続されている。引き出し電極４２の第２の部分３２ａ２側の部分は、第２の部分３２ａ２からｙ軸方向に沿って延びている。このため、太陽電池モジュール１とは異なり、太陽電池モジュール２では、引き出し電極４２の第２の部分３２ａ２側の部分に折れ曲がり部を設ける必要がない。よって、引き出し電極４２の作製費用が低くなる。従って、太陽電池モジュール２の製造コストを低減することができる。
【００４８】
本発明はここでは記載していない様々な実施形態を含む。例えば、第１及び第２の電極は、バスバー部を有さず、複数のフィンガー部により構成されているバスバーレスの電極であってもよい。
【００４９】
太陽電池モジュールは、ひとつの太陽電池のみを備えていてもよい。
【００５０】
以上のように、本発明はここでは記載していない様々な実施形態を含む。従って、本発明の技術的範囲は上記の説明から妥当な特許請求の範囲に係る発明特定事項によってのみ定められるものである。
【符号の説明】
【００５１】
１…太陽電池モジュール
１０，１０ａ〜１０ｆ…太陽電池ストリング
１１…第１の保護部材
１２…第２の保護部材
１３…封止材層
２０，２０Ａ〜２０Ｌ…太陽電池
２０ａ…受光面
２０ｂ…裏面
２１…第１の電極
２２…第２の電極
２３…光電変換部
３１〜３３，３２ａ、３２ｂ、３３ｂ…配線材
３２ａ１…第１の部分
３２ａ２…第２の部分
３２ａ３…屈曲部
５１…樹脂フィルム
５２…配線
６０…絶縁性シート
【図１】
2013046801.tif 000003
【図２】
2013046801.tif 000004
【図３】
2013046801.tif 000005
【図４】
2013046801.tif 000006
【図５】
2013046801.tif 000007
【図６】
2013046801.tif 000008
【国際調査報告】
2013046801.tif 000009
2013046801.tif 000010
2013046801.tif 000011
2013046801.tif 000012